(57)【特許請求の範囲】
【請求項１】
各ケージ（１ａ，１ｂ，１ｃ）に適宜の数の鶏を収容するように仕切られた長いケージ列を背中合わせに、各段ケージの前面がほぼ同一の垂直面にあるように複数段重ねて設置し、各段ケージの下方を長手方向に移動し、終端部にスクレーパを備えた除糞ベルトを設けた直立ケージ列（２）において、最下段ケージ（１ｃ）用の除糞ベルトを除いた除糞ベルトの戻り部（９）の下方に、ベルトの長手方向に沿って複数本のワイヤ（１０）を張設して、ベルトの戻り部（９）を下方から支えて鶏との間隔を保つことを特徴とする除糞ベルト非接触式直立ケージ列。
【請求項２】
各ケージ（１ａ、１ｂ、１ｃ）に適宜の数の鶏を収容するように仕切られた長いケージ列を背中合わせに、各段ケージの前面がほぼ同一の垂直面にあるように複数段重ねて設置し、各段ケージの下方を長手方向に移動し、終端部にスクレーパを備えた除糞ベルトを設けた直立ケージ列（２）において、最下段ケージ（１ｃ）用の除糞ベルトを除いた除糞ベルトの戻り部（９）が通過するケージの間仕切り（３）の上端部（３′）付近の高さのわずかに下方に、各ケージの天井部を形成するように、鶏が顔を出してベルトの戻り部（９）に接触することを妨げる障害手段（１１）を取り付けることを特徴とする除糞ベルト非接触式直立ケージ列。
【発明の詳細な説明】
【０００１】
【発明の属する技術分野】
本発明は、各段ケージの下方を長手方向に移動する除糞ベルトを設けた直立ケージ列に関する。
【０００２】
【従来の技術】
各ケージに適宜の数の鶏を収容するように仕切られた長いケージ列を背中合わせに、各段ケージの前面がほぼ同一の垂直面にあるように複数段重ねて設置した、いわゆる直立ケージ列では、各段ケージの下方を長手方向に移動し、終端部にスクレーパを備えた除糞ベルトが設けられている。この除糞ベルトの上面、すなわち運搬部は、すぐ上のケージからの鶏糞を受取って堆積させ、例えば２、３日に１回程度、一定距離を移動して、その終端部に達するとスクレーパによって鶏糞をかき落とされ、そのまま移動方向を変えて、すぐ下のケージの上方をベルトの戻り部となって他端部へ戻って行く。
【０００３】
このような除糞ベルトの戻り部は、下のケージの天井部を形成しながら戻って行くが、下のケージ内に収容された鶏と除糞ベルトの戻り部との間は、接近しているにもかかわらず全く障害物が設けられていなかった。そのため、終端部でのスクレーパのかき落としが不十分であると、かき残しの糞を付着させたままの除糞ベルトの戻り部がケージの上方を走行することになり、下のケージ内の鶏が残りの糞を突っ突くことがあって、鶏の発病の原因となることがあった。
【０００４】
【発明が解決しようとする課題】
本願発明の目的は、上記のようなかき残しの糞が付着した除糞ベルトの戻り部であっても、ケージ内の鶏がこの残り糞を突っ突くことのない衛生的な直立ケージ列を提供することである。
【０００５】
【課題を解決するための手段】
このため本願の第１の発明による直立ケージ列は、各ケージに適宜の数の鶏を収容するように仕切られた長いケージ列を背中合わせに、各段ケージの前面がほぼ同一の垂直面にあるように複数段重ねて設置し、各段ケージの下方を長手方向に移動し、終端部にスクレーパを備えた除糞ベルトを設けた直立ケージ列において、最下段ケージ用の除糞ベルトを除いた除糞ベルトの戻り部の下方に、ベルトの長手方向に沿って複数本のワイヤを張設して、ベルトの戻り部を下方から支えて鶏との間隔を保つことを特徴としている。
【０００６】
また、本願の第２の発明による直立ケージ列は、上記と同様の直立ケージ列において、最下段ケージ用の除糞ベルトを除いた除糞ベルトの戻り部が通過するケージの間仕切りの上端部付近の高さのわずかに下方に、各ケージの天井部を形成するように、鶏が顔を出してベルトの戻り部に接触することを妨げる障害手段を取り付けることを特徴としている。
【０００７】
【発明の実施の形態】
上記の構成から明らかなように、本願発明においては、鶏が、残り糞の付着した除糞ベルトの戻り部を突っ突かないように、戻りベルトと下のケージの上端部（ケージの間仕切りの上端部のわずかに下方）との間の間隔を保持するか、或いは戻りベルトと下のケージの上端部との間に障害手段を介在させることによってその目的を達成している。
【０００８】
戻りベルトとの間の間隔を保持するためのワイヤは、ケージ列の、したがって除糞ベルトの長手方向に沿ってその複数本がほぼ平行に張設される。ワイヤの必要本数は、除糞ベルトの幅によって定まるが、一般的には３〜５本が適当であろう。これらのワイヤによって下方から支えられた除糞ベルトの戻り部は、従来のように下のケージの方へ垂れ下がることなく、ケージ上端部との、したがってその内部の鶏との間隔を保つことができる。
【０００９】
除糞ベルトの戻り部が通過するケージの間仕切りの上端部付近の高さのわずかに下方に、各ケージの天井部を形成するように介在させる障害手段としては、鶏が顔を出せない程度の網目を有する網を用いることができるが、プラスチック・シート又は薄い鉄板によって両者間を完全に遮断することもできる。
以下に、二つの本願発明による直立ケージ列を、それぞれの一実施例を示す図面を参照しながら、さらに詳細に説明する。
【００１０】
【実施例】
図１は、背中合わせに配置された各複数段のケージの内、下方の３段のケージ１ａ、１ｂ、１ｃの部分を示したケージ列２の正面図であり、３はケージ２の間仕切り、３′は間仕切り３の上端部、４は餌樋、５は卵受け、６は鶏糞乾燥用送風機、７は除糞ベルトの運搬部、８は運搬部７の支持部、９は除糞ベルトの戻り部、１０は戻り部９を支持するワイヤである。
【００１１】
ケージ１ａ内の鶏の糞は、その下方の除糞ベルトの運搬部７（支持部８によって下方から支えられている）上に落下して堆積し、２、３日に１回位の間隔で終端部の方に一定距離を移動し、終端部に設けられたスクレーパ（図示せず）でかき落とされて、ここで除糞ベルトは進行方向を変えられ、戻り部９となってケージ１ｂの上方を他端部へ向かってかんけつ的に進行する。
【００１２】
従来の技術では、除糞ベルトの戻り部９は上記のようにして他端部に戻るが、戻り行程では、下方のケージ１ｂの間仕切り３の上端部付近の高さを通過しながらケージ１ｂの天井部を形成するので、スクレーパでかき落とせなかった残りの糞が戻り部９に付着していると、ケージ１ｂ内の鶏は容易にこれを突っ突くことができ、これが発病の原因となることがあった。
【００１３】
そこで本願の第１の発明では、最下段ケージ（１ｃ）用の除糞ベルトを除いたベルトの戻り部９の下方に、その長手方向に沿って複数本のワイヤ１０（図１には、ケージ１ｂ、１ｃの上方を走行するベルトの戻り部９の下に、それぞれ３本のワイヤの断面が見られる）が張設され、除糞ベルトの戻り部９を、その運搬部７の場合の支持部８と同様に下方から支え、これによってベルトの戻り部９は、ケージ１ｂ、１ｃの方へ垂れ下がることなく、ケージ１ｂ、１ｃ内の鶏と接触しない一定の間隔を保持できるのである。
【００１４】
図２は、図１と同様なケージ列２の部分側面略図であり、符号１から９は、図１と同じ部分を指示している。図２の実施例は、本願の第２の発明の一実施態様を示したものであり、ここでは２点鎖線で示され、ケージ１ｂ、１ｃの間仕切り３の上端部３′付近の高さを通過する除糞ベルトの戻り部９は、従来技術では、図１の実施態様で説明したように、ケージの天井部も兼ねているので、ケージ１ｂ、１ｃの方へ垂れ下がった場合には、ケージ１ｂ、１ｃ内の鶏は容易にベルトの戻り部９を突っ突くことができる。
【００１５】
そのため本願の第２の発明では、図１の場合と同様に、ケージ１ａ、１ｂの下方のベルトの戻り部９の下方で間仕切り３の上端部３′付近の高さのわずかに下に、ケージ１ｂ、１ｃの天井部を形成するように、鶏が顔を出してベルトの戻り部の残り糞を突っ突くのを妨げるような障害手段として、例えば図３に見るように、鶏が顔を出せないような大きさの網目を有する網１１を介在させている。この網１１の存在により、鶏が除糞ベルトの戻り部９と接触するおそれをなくすことができた。
上記のような網１１の代わりに、適当なプラスチック・シートや薄い鉄板を用いることもでき、網１１も含めたこれらの障害手段により、鶏がベルトの戻り部９を突っ突くおそれはほぼ解消された。
【００１６】
【発明の効果】
本願による、直立ケージ列の除糞ベルトの戻り部を鶏に接触させない（突っ突かせない）ための第１及び第２の発明は、それぞれ上記のような構成を有し、その構成に基く作用も行うので、次のような独自の効果を奏することができる。
【００１７】
１．第１の発明では、最下段ケージ用の除糞ベルトを除いた除糞ベルトの戻り部の下方に複数本のワイヤを張設することにより、ベルトの戻り部を下方から支えて、戻り部と鶏との間の間隔を保ち、鶏が戻り部を突っ突けないようにして発病の危険性を除去した。
【００１８】
２．第２の発明では、第１の発明と同様に、最下段ケージ用の除糞ベルトを除いた除糞ベルトの戻り部が通過するケージの間仕切りの上端部付近の高さのわずかに下方に、各ケージの天井部を形成するように、鶏が顔を出してベルトの戻り部に接触することを妨げる網やプラスチック・シートのような障害手段を取り付けることにより、鶏はほぼ完全に除糞ベルトの戻り部に接触できなくなり、したがってこれを突っ突くおそれも解消できた。
【図面の簡単な説明】
【図１】第１の発明による除糞ベルト非接触式直立ケージ列の一実施例の正面図。
【図２】第２の発明による同様な直立ケージ列の一実施例の部分側面略図。
【図３】第２の発明による障害手段の一実施例である網と鶏の図。
【符号の説明】
１ａ、１ｂ、１ｃ  ケージ
２  直立ケージ列
３  ケージ１の間仕切り
３′  ケージの間仕切り３の上端部
４  餌樋
５  卵受け
６  鶏糞乾燥用送風機
７  除糞ベルトの運搬部
８  運搬部７の支持部
９  除糞ベルトの戻り部
１０  ワイヤ
１１  網
【図１】
0003634928.tif 000002
【図２】
0003634928.tif 000003
【図３】
0003634928.tif 000004